(57)【要約】【課題】  管路内を容易かつ確実にブラッシング洗浄可能で、さらにブラッシング作業を衛生的に行える内視鏡の管路洗浄装置及び管路洗浄方法を提供する。【解決手段】  可撓軸の一端側にブラシ部を備えた、内視鏡管路に挿脱可能な可撓ブラシ線条体と、該可撓ブラシ線条体を挿入する入口開口と、排出する出口開口と、該入口開口から挿入された可撓ブラシ線条体を出口開口に送り出す駆動源とを有する排出型自動巻上器と、該排出型自動巻上器から排出された前記可撓ブラシ線条体を収容する収容装置と、を備えたことを特徴とする内視鏡の管路洗浄装置。【選択図】  図２
2005111073.tif 000002
【特許請求の範囲】
【請求項１】
可撓軸の一端側にブラシ部を備えた、内視鏡管路に挿脱可能な可撓ブラシ線条体と、
該可撓ブラシ線条体を挿入する入口開口と、排出する出口開口と、該入口開口から挿入された可撓ブラシ線条体を出口開口に送り出す駆動源とを有する排出型自動巻上器と、
該排出型自動巻上器から排出された前記可撓ブラシ線条体を収容する収容装置と、
を備えたことを特徴とする内視鏡の管路洗浄装置。
【請求項２】
請求項１記載の内視鏡の管路洗浄装置において、前記収容装置が、その内部に可撓ブラシ線条体を収納する可撓性材料からなる筒状体を備えている内視鏡の管路洗浄装置。
【請求項３】
請求項２記載の内視鏡の管路洗浄装置において、前記可撓性筒状体は、常時はその軸線方向に蛇腹状に折り畳まれており、前記排出型自動巻上器から排出された前記可撓ブラシ線条体の他端部がその先端部内面を押圧すると、該可撓ブラシ線条体の該排出型自動巻上器からの排出量に応じて伸張する内視鏡の管路洗浄装置。
【請求項４】
請求項１から３のいずれか１項記載の内視鏡の管路洗浄装置において、前記収容装置には、前記排出型自動巻上器の出口開口に水密状態で接続される接続用開口が形成されている内視鏡の管路洗浄装置。
【請求項５】
請求項１項記載の内視鏡の管路洗浄装置において、前記収容装置が、少なくとも長手方向の両側縁に粘着部を有する長尺テープを有し、この長尺テープの両側縁を接着して長尺袋状とした収容部内に前記排出型自動巻上器から排出された前記可撓ブラシ線条体を包み込む内視鏡の管路洗浄装置。
【請求項６】
請求項１から５のいずれか１項記載の内視鏡の管路洗浄装置において、
前記収容装置が、前記排出型自動巻上器に対して着脱可能である内視鏡の管路洗浄装置。
【請求項７】
請求項１から６のいずれか１項記載の内視鏡の管路洗浄装置において、前記排出型自動巻上器の前記入口開口を、前記内視鏡管路の出口に水密状態で着脱可能として接続した内視鏡の管路洗浄装置。
【請求項８】
請求項１から７のいずれか一項に記載の内視鏡の管路洗浄装置において、前記ブラシ部は、前記可撓軸の軸線方向に間隔をあけて複数設けられている内視鏡の管路洗浄装置。
【請求項９】
請求項１から８のいずれか一項に記載の内視鏡の管路洗浄装置において、前記駆動源が電動モータである内視鏡の管路洗浄装置。
【請求項１０】
請求項１から８のいずれか一項に記載の内視鏡の管路洗浄装置において、前記駆動源がゼンマイである内視鏡の管路洗浄装置。
【請求項１１】
可撓軸の一端側にブラシ部を備えた、内視鏡管路に挿脱可能な可撓ブラシ線条体と、
該可撓ブラシ線条体を挿入する入口開口と、排出する出口開口と、該入口開口から挿入された可撓ブラシ線条体を出口開口に送り出す駆動源とを有する排出型自動巻上器と、
該排出型自動巻上器から排出された前記可撓ブラシ線条体を収容する収容装置と、
を備えた内視鏡の管路洗浄装置を用いた管路洗浄方法であって、
前記可撓ブラシ線条体を前記可撓軸の一端部側から前記内視鏡管路の一端部に挿入し、該内視鏡管路の他端部から外方に突出させる挿入ステップ、
前記可撓ブラシ線条体を、前記自動排出機構によって、前記出口開口から前記排出型自動巻上器の外部に排出することにより、前記内視鏡管路から引き抜く洗浄ステップ、及び
外部に排出された可撓ブラシ線条体を、前記収容装置に収容する収容ステップ、
を有することを特徴とする内視鏡の管路洗浄方法。
【請求項１２】
請求項１１記載の内視鏡の管路洗浄方法において、前記収容装置が、その内部に可撓ブラシ線条体を収納する可撓性材料からなる筒状体を備えている内視鏡の管路洗浄方法。
【請求項１３】
請求項１２記載の内視鏡の管路洗浄方法において、前記接続ステップが、前記収容装置に形成した接続用開口を、前記排出型自動巻上器の出口開口に水密状態で接続するステップである内視鏡の管路洗浄方法。
【請求項１４】
請求項１１記載の内視鏡の管路洗浄方法において、前記収容装置が、少なくとも長手方向の両側縁に粘着部を有する長尺テープを有し、この長尺テープの両側縁を接着して長尺袋状とした収容部内に前記排出型自動巻上器から排出された前記可撓ブラシ線条体を包み込む内視鏡の管路洗浄方法。
【請求項１５】
請求項１１から１４のいずれか１項記載の内視鏡の管路洗浄方法において、前記接続ステップの前に、前記排出型自動巻上器の前記入口開口を、前記内視鏡管路の出口に水密状態で着脱可能として接続するステップ、を有する内視鏡の管路洗浄方法。
【請求項１６】
請求項１１から１５のいずれか１項記載の内視鏡の管路洗浄方法において、前記収容装置が前記排出型自動巻上器に着脱可能であり、
前記収容ステップの後に、前記収容装置を前記排出型自動巻上器から取り外す接続解除ステップ、及び
前記収容装置から前記可撓ブラシ線条体を取り出す取出ステップ、を有する内視鏡の管路洗浄方法。
【発明の詳細な説明】
【技術分野】
【０００１】
本発明は、可撓ブラシ線条体を用いる内視鏡の管路洗浄装置及び管路洗浄方法に関する。
【背景技術】
【０００２】
内視鏡内部には、処置具挿通チャンネルや吸引管路等の管路が設けられている。各種管路は、被検者の体液や薬液等により汚染されるため、内視鏡使用後にブラッシング洗浄を行ない、清潔に保つ必要がある。従来のブラッシング洗浄では、洗浄ブラシを管路の一端部から他端部に挿通させた後、挿入方向に対して逆方向に手で引き抜く作業を何度も繰り返すことで、管路内壁を何回も洗浄ブラシで擦って汚物を除去している。また最近では、洗浄ブラシの挿通回数を減らすため、従来の洗浄ブラシに替えて、図１３に示すような可撓ブラシ線条体２００を用いることが提案されている。この可撓ブラシ線条体２００は、可撓軸２１０と、該可撓軸２１０の一端側に間隔をあけて設けた複数のブラシ部２２０とを備えている（特許文献１参照）。
【特許文献１】特開２００２−５６３号公報
【発明の開示】
【発明が解決しようとする課題】
【０００３】
しかしながら、可撓ブラシ線条体２００は管路全長よりも長くなければならず、一般的にその長さ寸法は１ｍ以上となっていることから、手動では可撓ブラシ線条体２００を引き抜きづらく、ブラッシング洗浄に時間及び手間が掛かっていた。
【０００４】
そこで本出願人は、この課題を解決すべく、電動力を利用して可撓ブラシ線条体を巻き取ることができる洗浄装置を提案し、既に特許出願している（特願２００３―０４１０４５号）が、この発明にも未だ改善の余地がある。
【０００５】
本発明の目的は、管路内を容易かつ確実にブラッシング洗浄可能で、さらにブラッシング作業を衛生的に行える内視鏡の管路洗浄装置及び管路洗浄方法を提供することにある。
【課題を解決するための手段】
【０００６】
本発明の内視鏡の管路洗浄装置は、可撓軸の一端側にブラシ部を備えた、内視鏡管路に挿脱可能な可撓ブラシ線条体と、該可撓ブラシ線条体を挿入する入口開口と、排出する出口開口と、該入口開口から挿入された可撓ブラシ線条体を出口開口に送り出す駆動源とを有する排出型自動巻上器と、該排出型自動巻上器から排出された前記可撓ブラシ線条体を収容する収容装置と、を備えたことを特徴としている。
【０００７】
前記収容装置は、例えば、その内部に可撓ブラシ線条体を収納する可撓性材料からなる筒状体を備えるものとすることができる。
【０００８】
前記可撓性筒状体は、常時はその軸線方向に蛇腹状に折り畳まれており、前記排出型自動巻上器から排出された前記可撓ブラシ線条体の他端部がその先端部内面を押圧すると、該可撓ブラシ線条体の該排出型自動巻上器からの排出量に応じて伸張するのが好ましい。
【０００９】
収容装置が前記筒状体を備えるものである場合には、前記収容装置には、前記排出型自動巻上器の出口開口に水密状態で接続される接続用開口を形成するのが好ましい。
【００１０】
収容装置を、その両側縁部が接着して筒状形状となることにより、前記排出型自動巻上器から排出された前記可撓ブラシ線条体を包み込む粘着テープを備えるものとすることが可能である。
【００１１】
前記収容装置をいずれの態様とする場合も、収容装置を前記排出型自動巻上器に対して着脱可能とするのが好ましい。
【００１２】
前記収容装置をいずれの態様とする場合も、前記排出型自動巻上器の前記入口開口を、前記内視鏡管路の出口に水密状態で着脱可能として接続すれば、ブラッシング洗浄中に、内視鏡管路内の汚物等が、内視鏡管路の出口から周囲に飛散しなくなるので、より衛生的にブラッシング洗浄を行える。
【００１３】
前記ブラシ部を、前記可撓軸の軸線方向に間隔をあけて複数設ければ、１回のブラッシング洗浄で、ブラシの数だけ洗浄したのと同じ効果が得られる。
【００１４】
前記駆動源は、例えば電動モータとするのが実際的である。
【００１５】
前記駆動源を、ゼンマイとすることも可能である。
【００１６】
本発明の内視鏡の管路洗浄方法は、可撓軸の一端側にブラシ部を備えた、内視鏡管路に挿脱可能な可撓ブラシ線条体と、該可撓ブラシ線条体を挿入する入口開口と、排出する出口開口と、該入口開口から挿入された可撓ブラシ線条体を出口開口に送り出す駆動源とを有する排出型自動巻上器と、該排出型自動巻上器から排出された前記可撓ブラシ線条体を収容する収容装置と、を備えた内視鏡の管路洗浄装置を用いた管路洗浄方法であって、前記可撓ブラシ線条体を前記可撓軸の一端部側から前記内視鏡管路の一端部に挿入し、該内視鏡管路の他端部から外方に突出させる挿入ステップ、前記可撓ブラシ線条体を、前記自動排出機構によって、前記出口開口から前記排出型自動巻上器の外部に排出することにより、前記内視鏡管路から引き抜く洗浄ステップ、及び外部に排出された可撓ブラシ線条体を、前記収容装置に収容する収容ステップ、を有することを特徴としている。
【００１７】
本管路洗浄方法は、前記収容装置を、例えば、その内部に可撓ブラシ線条体を収納する可撓性材料からなる筒状体を備えるものとして実施可能である。
【００１８】
前記収容装置をこのようなものとして実施する場合は、前記接続ステップを、前記収容装置に形成した接続用開口を、前記排出型自動巻上器の出口開口に水密状態で接続するステップ、とするのが好ましい。
【００１９】
本管路洗浄方法は、前記収容装置を、少なくとも長手方向の両側縁に粘着部を有する長尺テープを有し、この長尺テープの両側縁を接着して長尺袋状とした収容部内に前記排出型自動巻上器から排出された前記可撓ブラシ線条体を包み込むものとしても実施可能である。
【００２０】
前記接続ステップの前に、前記排出型自動巻上器の前記入口開口を、前記内視鏡管路の出口に水密状態で着脱可能として接続するステップ、を有するのが好ましく、このようにすれば、ブラッシング洗浄中に、内視鏡管路内の汚物等が、内視鏡管路の出口から周囲に飛散しなくなるので、より衛生的にブラッシング洗浄を行える。
【００２１】
前記収容装置を前記排出型自動巻上器に着脱可能とし、前記収容ステップの後に、前記収容装置を前記排出型自動巻上器から取り外す接続解除ステップ、及び前記収容装置から前記可撓ブラシ線条体を取り出す取出ステップ、を有するのが実際的である。
【発明の効果】
【００２２】
本発明によると、自動巻上器によって可撓ブラシ線条体を内視鏡管路から引き抜くので、ブラシ引抜作業にかかる手間及び時間が大幅に削減され、内視鏡管路内を容易かつ確実にブラッシング洗浄することができる。しかも、自動巻上器によって自動巻上器の外部に排出された可撓ブラシ線条体は、収容装置に収容されるので、可撓ブラシ線条体の内視鏡管路からの引き抜き作業時に、内視鏡管路に付着していた汚物等が周囲に飛び散ることはなく、引き抜き作業を衛生的に行なえる。
【発明を実施するための最良の形態】
【００２３】
図１及び図２は、本発明を適用した内視鏡管路の管路洗浄装置１０の第１の実施形態を示している。この管路洗浄装置１０は、可撓ブラシ線条体２０と、可撓ブラシ線条体２０とは別体の電動巻上器（排出型自動巻上器）３０とから構成され、内視鏡管路内に挿入した可撓ブラシ線条体２０を電動巻上器３０の電動力により引き抜くことで内視鏡管路をブラッシング洗浄する装置である。
【００２４】
可撓ブラシ線条体２０は、細長い可撓軸２１と、可撓軸２１の一端部側に間隔をおいて複数（図示例では３つ）が備えられたブラシ部２２と、該可撓ブラシ線条体２０を使用者が手で保持できるようにブラシ部２２に取り付けられたグリップ部２３とを有し、ブラシ部２２にて最も大径となっている。可撓ブラシ線条体２０を内視鏡管路内に挿入したとき、各ブラシ部２２が管路内壁に当てつくので、良好なブラッシング洗浄が可能である。ブラシ部２２の径は、使用対象となる内視鏡管路に応じて適宜設定されている。
【００２５】
可撓軸２１は、複数のブラシ部２２の間は短い可撓軸２１Ｓによって構成され、残部は長い可撓軸２１Ｌによって構成されている。この可撓軸２１（２１Ｓ、２１Ｌ）は、例えば、ステンレス鋼線を一定の径で螺旋状に密着巻きして形成されたコイルパイプまたは合成樹脂製チューブ等によって形成することが可能であり、可撓軸２１Ｓと可撓軸２１Ｌの素材は同一であっても異なっていてもよい。
【００２６】
ブラシ部２２は、可撓性のある多数の細い合成樹脂繊維を軸線周りに放射状に配置して形成するか、あるいはスポンジ状ブラシ材などの各種ブラシ材を用いて形成することができる。本実施形態においてブラシ部２２は、１〜５ｃｍ程度の間隔をあけて３ヶ所に設けられているが、使用対象となる内視鏡の種類等に合わせた適宜の間隔で例えば２〜１０ヶ所程度に設けることが好ましい。
【００２７】
電動巻上器３０は、可撓ブラシ線条体２０を巻上げると共に、巻上げた可撓ブラシ線条体２０を該電動巻上器３０の外方へ送り出す排出型電動巻上器である。この電動巻上器３０は、図３（ａ）に示すように本体ケース３１０を有し、この本体ケース３１０から外方に突出した状態で巻上スイッチ３２０が設けられている。巻上スイッチ３２０は、図３（ａ）の突出位置と本体ケース３１０内に押し込まれた押込位置とに変位可能であり、本実施形態では突出位置でオフ状態、押込位置でオン状態に切り替わる。
【００２８】
本体ケース３１０は、電動モータ（駆動源）３３１、モータドライバ３３２及びバッテリ３３３等の電子部品を収納する固定ケース３１１と、枢着軸３１３により固定ケース３１１に対して開閉自在に取り付けられた開閉ケース３１２とから構成され（図３（ｂ）参照）、この固定ケース３１１と開閉ケース３１２との間に生じる空間に、一対のローラ（第１ローラ３４０、第２ローラ３５０）を収納している。本実施形態では、前記電動モータ３３１、モータドライバ３３２、バッテリ３３３及び一対のローラ３４０、３５０によって電動排出機構（自動排出機構）が構成される。
【００２９】
固定ケース３１１には、電動モータ３３１の回転駆動軸３３１ａを挿通させる軸穴３１１ａと、可撓ブラシ線条体２０を挿通させるブラシ挿通路３１４とが設けられている。ブラシ挿通路３１４は、その両端が可撓ブラシ線条体２０を挿入する入口開口３１４ａと、可撓ブラシ線条体２０を送り出す出口開口３１４ｂとなっており、固定ケース３１１を前後方向（図３（ａ）、図４の右側を前、左側を「後方」とする。以下、同様。）に貫通している。このブラシ挿通路３１４は、開閉ケース３１２を開けたとき露出し、開閉ケース３１２を閉じたとき該開閉ケース３１２によって覆われる。本実施形態では、可撓ブラシ線条体２０をすべて巻上げることができるように、ブラシ挿通路３１４の径を、可撓軸２１とブラシ部２２の両方を挿通可能な大きさに設定してある。
【００３０】
一対のローラは、電動モータ３３１によって回動される大径の第１ローラ３４０と、第１ローラ３４０よりも小径の第２ローラ３５０とからなる。第２ローラ３５０は、その回転中心軸３５１によって、固定ケース３１１の内面に揺動自在に枢着された回転支持部材３５２の一端部に回転自在に支持されており、回転支持部材３５２の他端部にはローラ回動用つまみ３５３が設けられている。第１ローラ３４０と第２ローラ３５０は共に、その一部が図３（ａ）及び図４の上下方向からブラシ挿通路３１４内にそれぞれ進入している。第２ローラ３５０は、ローラ回動用つまみ３５３を図３（ａ）及び図４の上下方向に移動させることにより、図４（ａ）に示すフリー位置と図３（ａ）に示すロック位置とに移動可能で、かつ、それぞれの位置に保持可能である。第２ローラ３５０がローラ回動用つまみ３５３及び回転中心軸３５１とほぼ一直線上に並ぶフリー位置にあるとき、該第２ローラ３５０は第１ローラ３４０に接触せず、ブラシ挿通路３４１に可撓ブラシ線条体２０を挿通自在である。一方、ブラシ挿通路３４１に可撓ブラシ線条体２０を挿通させない状態で、第２ローラ３５０をロック位置に移動させると、該第２ローラ３５０は、第１ローラ３４０に当て付き（図３（ａ）参照）、図４（ｂ）に示すように、ブラシ挿通路３４１に可撓ブラシ線条体２０を挿通させた状態で、第２ローラ３５０をロック位置に移動させると、第１ローラ３４０と第２ローラ３５０が可撓ブラシ線条体２０を進退可能に挟持する。この状態で第１ローラ３４０を回転させると、第１ローラ３４０の回転力が可撓ブラシ線条体２０を介して第２ローラ３５０に伝わり、第２ローラ３５０は第１ローラ３４０とは逆方向に回転する。
【００３１】
モータドライバ３３２は、バッテリ３３３からの電力供給を受けて動作し、巻上スイッチ３２０のオン状態で電動モータ３３１を回転させ、巻上スイッチ３２０のオフ状態で電動モータ３３１の駆動を停止させる。バッテリ３３３は、固定ケース３１１に対して着脱可能である。本実施形態では、ブラシ挿通路３１４の入口開口３１４ａから出口開口３１４ｂに可撓ブラシ線条体２０を送り出す際の一対のローラ３４０、３５０の回動方向を「正転」ということにする。第１ローラ３４０と第２ローラ３５０の間に可撓ブラシ線条体２０が進退可能に挟持されている状態で電動モータ３３１が第１ローラ３４０及び第２ローラ３５０を正転させると、該ローラ回転により、可撓ブラシ線条体２０が可撓軸２１Ｌ側から引っ張られて入口開口３１４ａに挿入され、ブラシ挿通路３１４を通って出口開口３１４ｂから外方へ送り出される。すなわち、可撓ブラシ線条体２０が図４（b）の左方向に送り出されていく。
【００３２】
図５に示すように、電動巻上器３０の出口開口３１４ｂが形成された部分には、後方に向かうにつれて３段階で縮径する環状段部３１５が設けられている。環状段部３１５の最大径部３１５ａの外周面には雄ねじ３１６が形成されている。
この環状段部３１５には、以下のような構成の収容装置３６０を着脱可能かつ水密状態で取り付けることができる。
図５に示すように、この収容装置３６０は、ブラシ挿通路３１４と連通可能な内部通路３６１を有し、その出口３６２の開口径が内部通路３６１の径より小さく、さらに内部通路３６１の入口（接続用開口）に前記雄ねじ３１６と螺合可能な雌ねじ３６３が形成された筒状のケース３６４と、伸縮可能なビニール製筒状体（筒状体）３６５とから構成されている。図５に示すように、このビニール製筒状体３６５は、その前端のみが開口し、該基端部は環状段部３１５の中間部３１５ｂに嵌合可能な取付部３６５ａとなっている。ビニール製筒状体３６５の先端部３６５ｂと取付部３６５ａを除く中間部は、常時はその軸線方向に伸縮自在に折り畳まれている。ビニール製筒状体３６５が完全に伸張したときの長手方向寸法は、可撓ブラシ線条体２０の全長より長く設定されており、その内部空間が可撓ブラシ線条体２０を収容するための収容空間となっている。
【００３３】
収容装置３６０は、ビニール製筒状体３６５の取付部３６５ａを環状段部３１５の中間部３１５ｂに嵌合した後に、ケース３６４をビニール製筒状体３６５の外側から環状段部３１５に被せて、雌ねじ３６３と雄ねじ３１６を螺合することにより、環状段部３１５に固定される。このように収容装置３６０を環状段部３１５に固定すると、図５（ｂ）に示すように、ビニール製筒状体３６５の取付部３６５ａが、環状段部３１５の中間部３１５ｂとケース３６４の内部通路３６１の間に挟持され、ビニール製筒状体３６５の折り畳まれた中間部が、環状段部３１５の最小径部３１５ｃとケース３６４の内部通路３６１の間の空間に位置し、先端部３６５ｂがケース３６４の出口３６２から外部に突出する。
【００３４】
図６は、管路洗浄装置１０を用いて内視鏡管路をブラッシング洗浄している状態を示している。図６に示す内視鏡４０は、患者の体内に挿入される挿入部４１と、挿入部４１の基端に連結された操作部４２と、操作部４２から延設されたユニバーサルチューブ４３と、ユニバーサルチューブ４３の先端に設けたコネクタ部４４を具備しており、コネクタ部４４に、内視鏡内部の吸引管路４５に連通する吸引口金４６を設けてある。吸引管路４５は、挿入部先端４１ａに開口する第１吸引管路４５ａと、吸引口金４６に開口する第２吸引管路４５ｂと、この第１吸引管路４５ａと第２吸引管路４５ｂを中継する吸引シリンダ４５ｃとからなる。吸引シリンダ４５ｃは、常時は吸引ボタン（不図示）により塞がれている。不図示であるが、内視鏡４０に設けられた内視鏡管路としては、副送水管路や処置具挿通チャンネル等もある。
【００３５】
次に、吸引管路４５の洗浄方法について説明する。
先ず、可撓ブラシ線条体２０を電動巻上器３０に取り付ける。具体的には、電動巻上器３０の開閉ケース３１２を開けてブラシ挿通路３１４を露出させ、ローラ回動用つまみ３５３により第２ローラ３５０をフリー位置（図４（ａ）の位置）に保持した状態でブラシ挿通路３１４に可撓ブラシ線条体２０を基端側（ブラシ部２２と反対側）から挿通し、図１に示すようにブラシ挿通路３１４の入口開口３１４ａから可撓ブラシ線条体２０を十分な長さだけ引き出しておく。そして、ローラ回動用つまみ３５３により第２ローラ３５０をロック位置に移動させ、一対のローラ３４０、３５０の間で可撓ブラシ線条体２０（可撓軸２１Ｌ）の基端部を進退可能に挟持する（図４（ｂ）参照）。
【００３６】
次に、内視鏡４０の吸引シリンダ４５ｃの開口部から吸引ボタンを取り外して、可撓ブラシ線条体２０の挿通口となる該開口部を露出させる。続いて、可撓ブラシ線条体２０の先端側（ブラシ２２側）を挿入部先端４１ａの吸引口から第１吸引管路４５ａに挿入していき、全ブラシ部２２を吸引シリンダ４５ｃの開口部から外方へ突出させる（図６の状態）。あるいは、可撓ブラシ線条体２０を吸引シリンダ４５ｃの開口部から第１吸引管路４５ａに挿入していき、全ブラシ部２２を挿入部先端４１ａの吸引口から外方へ突出させる（不図示）。
【００３７】
そして、電動巻上器３０の巻上スイッチ３２０をオンする。すると、モータドライバ３３２によって電動モータ３３１が駆動され、一対のローラ３４０、３５０が正転し始める。一対のローラ３４０、３５０が正転すると、該回転力により、可撓ブラシ線条体２０がその基端側から引っ張られ、第１吸引管路４５ａから引き抜かれていく（図６の矢印方向は可撓ブラシ線条体２０の引抜方向である）。引き抜かれた可撓ブラシ線条体２０は、ブラシ挿通路３１４の入口開口３１４ａに引き込まれ、ブラシ挿通路３１４を通って出口開口３１４ｂから排出され、収容装置３６０に向かう。
【００３８】
収容装置３６０に向かった可撓ブラシ線条体２０の他端部は、ケース３６４内において折り畳まれているビニール製筒状体３６５の内部に入り込み、ビニール製筒状体３６５の先端部３６５ｂの内面を押圧しながら、ビニール製筒状体３６５とともに出口３６２からケース３６４の後方に突出する（図２、図４（ｂ）参照）。可撓ブラシ線条体２０の出口開口３１４ｂからの排出量と、ビニール製筒状体３６５のケース３６４からの突出量はほぼ比例するので、図２に示すように、可撓ブラシ線条体２０の排出量が大きくなると、ビニール製筒状体３６５のケース３６４からの突出量も大きくなる。
【００３９】
そして、このように可撓ブラシ線条体２０を第１吸引管路４５ａから引き抜くと、複数のブラシ部２２が順番に第１吸引管路４５ａを通過して、第１吸引管路４５ａの内壁がブラッシング洗浄され、第１吸引管路４５ａの内壁に付着した汚物が除去される。可撓ブラシ線条体２０にはブラシ部２２が３ヶ所設けられているので、可撓ブラシ線条体２０を１回挿通させると、３回ブラッシング洗浄を行なった場合と同様の洗浄効果が得られる。可撓ブラシ線条体２０がすべて電動巻上器３０から排出されたら、電動巻上器３０の巻上スイッチ３２０をオフする。この排出完了状態では、可撓ブラシ線条体２０全体がビニール製筒状体３６５内に収容され、可撓ブラシ線条体２０と電動巻上器３０は別体となる。
【００４０】
続いて、第２吸引管路４５ｂのブラッシング洗浄を行なう。
まず、ケース３６４の雌ねじ３６３と雄ねじ３１６の螺合を解除して、ケース３６４とビニール製筒状体３６５を電動巻上器３０から取り外して、ビニール製筒状体３６５から可撓ブラシ線条体２０を取り出し、可撓ブラシ線条体２０を洗浄する。可撓ブラシ線条体２０の洗浄が完了したら、収容装置３０と可撓ブラシ線条体２０を電動巻上器３０に再び取り付ける。そして、この可撓ブラシ線条体２０を吸引シリンダ４５ｃの開口部から第２吸引管路４５ｂに挿入していき、全ブラシ部２２をコネクタ部４４の吸引口金４６から外方へ突出させる（図６の状態）。あるいは、可撓ブラシ線条体２０をコネクタ部４４の吸引口金４６から第２吸引管路４５ｂに挿入していき、全ブラシ部２２を吸引シリンダ４５ｃの開口部から外方へ突出させる（不図示）。そして、電動巻上器３０の巻上スイッチ３２０をオンする。すると、可撓ブラシ線条体２０は引き抜かれながら電動巻上器３０の外方に排出され、ビニール製筒状体３６５に収容される。そして、この引き抜き作業中に第２吸引管路４５ｂ内を通過する複数のブラシ部２２が第２吸引管路４５ｂの内壁に付着した汚物を除去する。
なお、前記第２吸引管路４５ｂと第１吸引管路４５ａの洗浄順は逆であっても差し支えない。
【００４１】
以上のように本実施形態では、電動巻上器３０によって可撓ブラシ線条体２０が巻上げられるので、使用者は電動巻上器３０の巻上スイッチ３２０をオンするだけで可撓ブラシ線条体２０を内視鏡管路（本実施形態では吸引管路４５）から容易に引き抜くことができ、可撓ブラシ線条体２０の引抜作業にかかる手間及び時間が大幅に削減される。
しかも、電動巻上器３０によって内視鏡管路から引き抜かれた可撓ブラシ線条体２０は、電動巻上器３０を通り抜けると、ビニール製筒状体３６５に包まれるので、可撓ブラシ線条体２０に付着した汚物等が周囲に飛び散ることがなく衛生的である。
【００４２】
また、本実施形態では、電動巻上器３０を、内視鏡管路から引き抜いた可撓ブラシ線条体２０を、本体ケース３１０の内部に巻き取って収納せずに、本体ケース３１０の外方へ排出する排出型としたので、引き抜いた可撓ブラシ線条体２０を本体ケース（筐体）３１０内に収納する収納型よりも、本体ケース３１０（電動巻上器３０）を小型化することができる。さらに本実施形態では、複数のブラシ部２２を備えた可撓ブラシ線条体２０を用いるので、１回のブラシ挿脱作業でブラシ部２２の数に等しい回数のブラッシング洗浄を行った場合と同じ洗浄効果が得られる。
【００４３】
本実施形態では、電動巻上器３０の本体ケース３１０内にブラシ挿通路３１４を設け、このブラシ挿通路３１４に一部突出させた状態で一対のローラ３４０、３５０を配置しているが、一対のローラ３４０、３５０全体をブラシ挿通路３１４内に設ける構成としてもよい。
また、ビニール以外の可撓性材料によって形成した筒状体を、ビニール製筒状体３６５の代わりに用いてもよい。
【００４４】
以上の実施形態では、第１吸引管路４５ａと第２吸引管路４５ｂをそれぞれ１回ずつブラッシング洗浄したが、第１吸引管路４５ａ及び第２吸引管路４５ｂを複数回ブラッシング洗浄してもよく、このようにすれば、両吸引管路４５ａ、４５ｂの内壁に付着した汚物をより確実に除去できる。このように複数回洗浄する場合は、引抜作業が１回終了する度に、収容装置３６０を電動巻上器３０から取り外して、ビニール製筒状体３６５から可撓ブラシ線条体２０を取り出し、可撓ブラシ線条体２０を洗浄する。そして、収容装置３６０と可撓ブラシ線条体２０を電動巻上器３０に再度取り付けて、可撓ブラシ線条体２０を第１吸引管路４５ａまたは第２吸引管路４５ｂに挿入し、電動巻上器３０により可撓ブラシ線条体２０を第１吸引管路４５ａまたは第２吸引管路４５ｂから引き抜く。
【００４５】
次に本発明の第２の実施形態について説明する。なお、第１の実施形態と同じ部材には同じ符号を付すに止めて、その詳細な説明は省略する。
図７から図１１に示すように、本実施形態の電動巻上器５０の基本構造は第１の実施形態の電動巻上器３０とほぼ同じであるが、その一方の側面から後面（図７及び図８の左側の面）にかけて開口５１が形成されており、開口５１の背後には取付用突部５２が形成されている。図７、図１０等に示すように、取付用突部５２の上面には左右方向（図７の紙面に垂直な方向。以下、同様。）に並べて一対の支持軸５３が同じ傾斜角度で突設されており、両支持軸５３にはそれぞれ、弾性材料からなる円筒状の接着用ローラ５４が回転自在に取り付けられており、両接着用ローラ５４の間には、可撓ブラシ線条体２０の可撓軸２１の断面径とほぼ同寸法の隙間が形成されている。固定ケース５００には図示を省略した開閉ケースが取り付けられており、この開閉ケースを開放すると、図１１に示すように、第１ローラ３４０、第２ローラ３５０、回転中心軸３５１、回転支持部材３５２、及びローラ回動用つまみ３５３等が露出する。
【００４６】
図８及び図１１に示すように、固定ケース５００の内部には、左右方向を向く円筒状のリール６０を有する支持部材６１が着脱可能に取り付けられており、リール６０には粘着テープ（長尺テープ）６２が巻き付けられている。この粘着テープ６２は、その外周面が接着面（接着部）６２ａとなっている。そして、上述の支持軸５３、接着用ローラ５４、支持部材６１、粘着テープ６２により収容装置５１０が構成されている。また、図１１に示すように、固定ケース５００の前面には入口開口５００ａが形成されている。
【００４７】
さらに、固定ケース５００には前記開口５１の側部を開閉する開閉板７０が、枢着軸７１によって枢着されている。この開閉板７０を図８に示す全開位置に移動させると、電動巻上保持器５０を側方から見たときに、支持部材６１や粘着テープ６２が露出する。一方、開閉板７０を図７に示す全閉位置に移動させると、電動巻上保持器５０を側方から見たときは固定ケース５００の内部は隠れるが、背後側（図７の左側）から見ると、開閉板７０と開口５１の間には、粘着テープ６２及び可撓ブラシ線条体２０が挿通可能な隙間である出口開口５００ｂ（図１１参照）が形成される。
【００４８】
次に、電動巻上器５０を用いた吸引管路４５の洗浄方法について説明する。
先ず、第１の実施形態と同じ要領で、電動巻上器５０の内部に入口開口５００ａから可撓ブラシ線条体２０を挿通し、可撓ブラシ線条体２０を第１ローラ３４０と第２ローラ３５０とで挟持し、可撓ブラシ線条体２０の先端部を挿入部先端４１ａの吸引口から第１吸引管路４５ａに挿入していき、全ブラシ部２２を吸引シリンダ４５ｃの開口部から外方へ突出させる。
【００４９】
さらに、開閉板７０を全開位置に移動させた後、リール６０に巻き付けられた粘着テープ６２を所定距離だけ引き出し、この引き出した部分の内周側を手で摘んで、接着面６２ａの両側縁部を互いに接着させる。すると、この部分が筒状の収容部となり、その内部空間が収容空間となる。そして、粘着テープ６２の先端部を左右両側から内向きに折って接着面６２ａの右半部と左半部を接着させて該先端部を塞ぎ（図１０参照）、該先端部を左右の接着用ローラ５４の間に挿入する。
【００５０】
開閉板７０を全閉位置に戻して、粘着テープ６２を出口開口５００ｂ内に位置させた後、電動巻上器５０の巻上スイッチ３２０をオンして、一対のローラ３４０、３５０を正転させ、該回転力により、可撓ブラシ線条体２０を第１吸引管路４５ａから引き抜き、引き抜いた可撓ブラシ線条体２０を、入口開口５００ａから電動巻上器５０の内部に引き込む。すると、可撓ブラシ線条体２０の基端部が、粘着テープ６２の収容部内に導かれ、左右の接着用ローラ５４の間に到達すると、粘着テープ６２の左右両側部が、可撓軸２１と左右の接着用ローラ５４によって挟まれ、その結果、可撓軸２１の左右両側部に粘着テープ６２の接着面６２ａが接着する。このように可撓ブラシ線条体２０に粘着テープ６２が接着すると、可撓ブラシ線条体２０の接着用ローラ５４から後方への排出量に応じて粘着テープ６２がリール６０から引き出されていき、粘着ローラ６２の引き出された部分は、接着面６２ａの両側縁部が互いに接着して順次筒状をなし、左右の接着用ローラ５４の間を通過する際に、その接着面６２ａが可撓ブラシ線条体２０の左右両側部に接着し、可撓ブラシ線条体２０を包み込む。
【００５１】
可撓ブラシ線条体２０のグリップ部２３が、一対のローラ３４０、３５０の後方に排出されたら、巻上スイッチ３２０をオフにし、かつ、手で粘着テープ６２を後方に所定距離だけ引き出して、グリップ部２３を左右の接着用ローラ５４の後方まで移動させ、グリップ部２３に粘着テープ６２を接着させる。そして、粘着テープ６２のグリップ部２３が位置する箇所の直前部分をはさみ等で切断し、この切断部分を接着面６２ａを利用して塞ぐ。
【００５２】
このようにすると、一対のローラ３４０、３５０の回転中、及び手動による可撓ブラシ線条体２０の引き出し中において、可撓ブラシ線条体２０の出口開口５００ｂから後方に排出された部分が粘着テープ６２によって完全に覆われるので、可撓ブラシ線条体２０に付着した汚物が周囲に飛散することはなく、第１の実施形態と同様に衛生的にブラッシング洗浄を行うことができる。
粘着テープ６２を全て使い切ってしまった場合は、開閉板７０を全開にして、支持部材６１を本体ケース５００から取り外し、リール６０に新しい粘着テープ６２を巻き付けた後に、支持部材６１を再度本体ケース５００に取り付ければよい。
【００５３】
以上の両実施形態では、電動巻上器３０、５０を用いて可撓ブラシ線条体２０を内視鏡管路から引き抜くようにしているが、ゼンマイ式巻上器（排出型自動巻上器）（不図示）によって可撓ブラシ線条体２０を内視鏡管路から引き抜くことも可能である。ゼンマイ式巻上器の構成としては、例えば、電動巻上器３０、５０から巻上スイッチ３２０、電動モータ３３１、モータドライバ３３２、及びバッテリ３３３を取り外し、代わりに、巻き上げ状態から解放状態に移行するときに発生する力により第１ローラ３４０に回転力を付与するゼンマイ（駆動源）と、このゼンマイを巻き上げる手動式巻上機構と、巻き上げたゼンマイを解放状態に移行させる解放スイッチを備えたものが考えられ、このようなゼンマイ式巻上器を用いても、電動巻上器３０、５０を用いる場合と同様の効果が得られる。この態様では、ゼンマイと一対のローラ３４０、３５０によって自動排出機構が構成される。
【００５４】
また、図１２に示すように、吸引管路４５をブラッシング洗浄する際に、電動巻上器３０やゼンマイ式巻上器の入口開口３１４ａ、５００ａを（図１２では電動巻上器３０を用いた例を示している）、内視鏡４０の挿入部先端４１ａの吸引口や吸引シリンダ４５ｃの開口部に水密状態で接続すれば（図１２では、挿入部先端４１ａの吸引口に接続した例のみ示している）、吸引管路４５内の汚物が、該吸引口や開口部から周囲に飛散しなくなるので、ブラッシング洗浄をより衛生的に行うことが可能となる。
【００５５】
以上では、吸引管路４５をブラッシング洗浄する実施形態について説明したが、本管路洗浄装置１０は、処置具挿通チャンネルや副送水管路など内視鏡内部に設けられた各種管路に対して使用することができる。
【図面の簡単な説明】
【００５６】
【図１】本発明による管路洗浄装置の第１の実施形態の、可撓ブラシ線条体と電動巻上器の側面図である。
【図２】可撓ブラシ線条体の一部がビニール製筒状体に収容される様子を示す側面図である。
【図３】（ａ）電動巻上器の縦断側面図である。  （ｂ）電動巻上器の横断正面図である。
【図４】（ａ）可撓ブラシ線条体をブラシ挿通路に挿通させずに、第２ローラをフリー位置に移動させた際の電動巻上器の上部の縦断側面図である。  （ｂ）可撓ブラシ線条体をブラシ挿通路に挿通した上で、第２ローラをロック位置に移動させた際の電動巻上器の上部の縦断側面図である。
【図５】（ａ）電動巻上器と収容装置を分解して示す拡大縦断側面図である。  （ｂ）電動巻上器に収容装置を装着した状態を示す拡大縦断側面図である。
【図６】管路洗浄装置を用いて内視鏡管路をブラッシング洗浄している状態を示す側面図である。
【図７】本発明による第２の実施形態の電動巻上器と収容装置の、開閉蓋を全開位置に移動させたときの側面図である。
【図８】電動巻上器と収容装置の、開閉蓋を全開位置に移動させたときの側面図である。
【図９】収容装置の側面図である。
【図１０】図９を上方から見た収容装置の平面図である。
【図１１】電動巻上器と収容装置の縦断側面図である。
【図１２】管路洗浄装置を用いた別の使用態様により、内視鏡管路をブラッシング洗浄している状態を示す側面図である。
【図１３】従来の管路洗浄装置を用いて内視鏡管路をブラッシング洗浄している状態を示す側面図である。
【符号の説明】
【００５７】
１０      管路洗浄装置
２０      可撓ブラシ線条体
２１      可撓軸
２１Ｓ    可撓軸（短い可撓軸）
２１Ｌ    可撓軸（長い可撓軸）
２２      ブラシ部
２３      グリップ部
３０      電動巻上器（排出型自動巻上器）
３１０    本体ケース
３１１    固定ケース
３１２    開閉ケース
３１３    枢着軸
３１４    ブラシ挿通路
３１４ａ  入口開口
３１４ｂ  出口開口
３１５    環状段部
３１６    雄ねじ
３２０    巻上スイッチ
３３１    電動モータ（駆動源）
３３２    モータドライバ
３３３    バッテリ
３４０    第１ローラ
３５０    第２ローラ
３６０    収容装置
３６１    内部通路
３６２    出口
３６３    雌ねじ
３６４    ケース
３６５    ビニール製筒状体（筒状体）
４０      内視鏡
４５      吸引管路
５０      電動巻上器（排出型自動巻上器）
５１      開口
５２      取付用突部
５３      支持軸
５４      接着用ローラ
５００    固定ケース
５００ａ  入口開口
５００ｂ  出口開口
５１０    収容装置
６０      リール
６１      支持部材
６２      粘着テープ（長尺テープ）
６２ａ    接着面（粘着部）
７０      開閉板
７１      枢着軸
【図１】
2005111073.tif 000003
【図２】
2005111073.tif 000004
【図３】
2005111073.tif 000005
【図４】
2005111073.tif 000006
【図５】
2005111073.tif 000007
【図６】
2005111073.tif 000008
【図７】
2005111073.tif 000009
【図８】
2005111073.tif 000010
【図９】
2005111073.tif 000011
【図１０】
2005111073.tif 000012
【図１１】
2005111073.tif 000013
【図１２】
2005111073.tif 000014
【図１３】
2005111073.tif 000015